(57)【特許請求の範囲】
【請求項１】
前方が開口した箱状の本体枠に、前扉取付ベース部材により回動可能に軸支される前扉を備え、
前記前扉取付ベース部材には、メダルを投入可能なメダル投入部を有するメダル投入部材を設け、
前記メダル投入部に所要数のメダルが投入されたことに基づいて、所定の遊技を実行可能な遊技機において、
前記前扉取付ベース部材は、
前記メダル投入部から投入されたメダルを前記メダル投入部材を流下させて検出可能なメダル検出装置と、
前記メダル投入部材及び前記メダル検出装置の一端を前記前扉取付ベース部材に各々取り付けるための共通取付部材と、
前記メダル検出装置の他端を前記前扉取付ベース部材に取り付けるための取付金具と、
を備え、
前記共通取付部材は、
前記メダル投入部材を取り付けるためのメダル投入部材取付部と、
前記メダル検出装置を取り付けるためのメダル検出装置取付部と、
を有し、
前記メダル投入部材は、
前記前扉取付ベース部材に設けた差込口に前面側から差し込んで、前記メダル投入部材取付部に止着部材で取り付け、
前記メダル検出装置は、
一端を前記前扉取付ベース部材の裏面側から前記メダル検出装置取付部に取り付けると共に、他端を前記取付金具に取り付ける構成としたことを特徴とする遊技機。
【請求項２】
前記メダル投入部材と前記メダル検出装置は、
それぞれ縦長の貫通穴を備え、該各貫通穴から前記メダル投入部材取付部と前記メダル検出装置取付部とが有する各取付穴に向けて、止着部材を通すことにより取り付けられていることを特徴とする請求項１記載の遊技機。
【発明の詳細な説明】
【０００１】
【発明の属する技術分野】
本発明は、前方が開口した箱状の本体枠に、前扉取付ベース部材により回動可能に軸支される前扉を備え、前記前扉取付ベース部材には、メダルを投入可能なメダル投入部を有するメダル投入部材を設け、前記メダル投入部に所要数のメダルが投入されたことに基づいて、所定の遊技を実行可能な遊技機に関する。
【０００２】
【従来の技術】
例えば、スロットマシン或いはパチスロ遊技機と称される遊技機は、本体枠に回動可能に軸支された前扉に、メダルを投入可能なメダル投入部を備え、該メダル投入部に所要数のメダルが投入されたことに基づいて所定の遊技を実行可能となっている。
前扉は、前扉取付ベース部材と、上記メダル投入部を有するメダル投入部材と、上記メダル投入部から投入されたメダルをメダル投入部材から受け入れて検出可能なメダル検出装置（メダルセレクタ）と、を備えている。メダル投入部材とメダル検出装置は、上記メダル投入部から投入されたメダルを流下させるためのメダル流路をそれぞれ備え、それらメダル流路が接続された状態で前扉取付ベース部材に取り付けられている。
【０００３】
【発明が解決しようとする課題】
しかしながら、上記従来の遊技機では、メダル投入部材とメダル検出装置の両メダル流路の接続部分にズレが生じないように、メダル投入部材とメダル検出装置を相互に位置合わせしながら前扉取付ベース部材に取り付ける必要があり、それには熟練した技術が必要であった。特に、前扉取付ベース部材が樹脂で成形されている場合には、その成形誤差により、上記位置合わせが困難になることがあった。
例えば、両メダル流路の接続部分にズレが生じると、メダル投入部から投入したメダルがスムーズに流下しなくなり、流下途中でメダル詰まりが発生する可能性があった。
【０００４】
本発明は、上記実情に鑑みなされたもので、メダル投入部材とメダル検出装置の取付位置を位置決めするのが容易で、メダル投入部材とメダル検出装置の相対位置にズレが生じ難い遊技機を提供することを目的とする。
【０００５】
【課題を解決するための手段】
上記課題を解決するため、
請求項１記載の発明は、前方が開口した箱状の本体枠に、前扉取付ベース部材により回動可能に軸支される前扉を備え、
前記前扉取付ベース部材には、メダルを投入可能なメダル投入部を有するメダル投入部材を設け、
前記メダル投入部に所要数のメダルが投入されたことに基づいて、所定の遊技を実行可能な遊技機において、
前記前扉取付ベース部材は、
前記メダル投入部から投入されたメダルを前記メダル投入部材を流下させて検出可能なメダル検出装置と、
前記メダル投入部材及び前記メダル検出装置の一端を前記前扉取付ベース部材に各々取り付けるための共通取付部材と、
前記メダル検出装置の他端を前記前扉取付ベース部材に取り付けるための取付金具と、
を備え、
前記共通取付部材は、
前記メダル投入部材を取り付けるためのメダル投入部材取付部と、
前記メダル検出装置を取り付けるためのメダル検出装置取付部と、
を有し、
前記メダル投入部材は、
前記前扉取付ベース部材に設けた差込口に前面側から差し込んで、前記メダル投入部材取付部に止着部材で取り付け、
前記メダル検出装置は、
一端を前記前扉取付ベース部材の裏面側から前記メダル検出装置取付部に取り付けると共に、他端を前記取付金具に取り付ける構成とした。
【０００６】
この請求項１記載の発明によれば、共通取付部材により、メダル投入部材とメダル検出装置の相対位置を位置決めすることが可能となる。
従って、メダル投入部材とメダル検出装置の取付位置を位置決めするのが容易となり、メダル投入部材とメダル検出装置の相対位置にズレが生じ難くなる。
そのため、メダル投入部材とメダル検出装置の各々に設けられる両メダル流路の接続部分にズレが生じ難くなり、該ズレによるメダル詰まりを低減できる。
【０００７】
また、例えば、メダル投入部から不正な行為を目的とした不正部材が挿入されても、その不正部材が上記ズレから遊技機内に侵入するのを防止できる。
【０００８】
また、メダル投入部材とメダル検出装置の取付位置を、共通取付部材の取付位置により調整することが可能となる。
従って、例えば、前扉取付ベース部材に成形誤差等があっても、共通取付部材の取付位置を調整することで、メダル投入部材とメダル検出装置の取付位置を補正することが可能となる。
【０００９】
また、メダル投入部材とメダル検出装置を別々に取り付けることが可能となるので、熟練した技術がなくとも、容易にメダル投入部材とメダル検出装置の取付作業を行うことができる。
【００１０】
ここで、遊技機には、例えば、パチスロ遊技機、スロットマシンなど、遊技媒体にメダルを用いる遊技機全てが含まれる。所定の遊技には、例えば、可変表示部（例えば、リール表示部など）にて図柄の可変表示を行い、該可変表示の停止結果が予め定められた特定の表示結果態様となることに関連して所定の遊技価値（例えば、所要数のメダルなど）が遊技者に対して付与される可変表示遊技などが含まれる。
【００１１】
この請求項２記載の発明は、請求項１記載の遊技機において、
前記メダル投入部材と前記メダル検出装置は、
それぞれ縦長の貫通穴を備え、該各貫通穴から前記メダル投入部材取付部と前記メダル検出装置取付部とが有する各取付穴に向けて、止着部材を通すことにより取り付けられていることを特徴とする。
【００１３】
この請求項２記載の発明によれば、メダル検出装置とメダル投入部材が、それぞれ縦長の貫通穴を備え、該各貫通穴からメダル投入部材取付部と前記メダル検出装置取付部とが有する各取付穴に向けて、止着部材を通すことにより共通取付部材に取り付けられているので、メダル検出装置やメダル投入部材の取付位置を、それぞれの貫通穴の長さ方向に調整することが可能となる。
従って、例えば、前扉取付ベース部材に成形誤差等があっても、メダル投入部材とメダル検出装置の取付位置を容易に補正することができる。
【００１６】
【発明の実施の形態】
以下、この発明の実施の形態について、図１〜図５の図面を参照しながら説明する。
図１は、本発明に係る遊技機の一形態として例示するパチスロ遊技機を示す正面図である。図２は、図１のパチスロ遊技機の前扉を開放した状態を示す斜視図である。図３は、前扉の背面図である。
【００１７】
この実施の形態のパチスロ遊技機１００は、遊技媒体にメダルを用いた遊技機であって、その本体枠１には、図２に示すように、前扉２が左端を軸心として片開き形式に開閉自在に取り付けられている。
【００１８】
本体枠１は、前方が開口した箱状枠体であって、その中空部内には、外周面に複数種類の図柄が表記された３個のリール４ａ、４ｂ、４ｃが回動自在な状態で設置されている。これらリール４ａ、４ｂ、４ｃの下方には、メダルを払い出し可能な払出装置２０が設置される一方、リール４ａ、４ｂ、４ｃの上方には、該リール４ａ、４ｂ、４ｃや払出装置２０を含む各種電気部品の制御を行う制御装置５０が設置されている。
【００１９】
前扉２は、図１及び図２に示すように、合成樹脂製の上下のベース部材６０Ａ、６０Ｂを結合してなる前扉取付ベース部材６０（図２）に、化粧パネル１９、表示パネル３などの部材を組み付けて構成されている。
表示パネル３の中央には、透明なリール表示部（可変表示部）４Ａが設けられ、該リール表示部４Ａの背部には、該リール表示部４Ａを介して前方を臨む状態で、前述したリール４ａ、４ｂ、４ｃが配置されている。
各リール４ａ、４ｂ、４ｃは、メダルを賭けた（ベットした）状態でスタートレバー６（後述）が押圧されて所定時間経過するか、或いは対応するストップボタン７ａ、７ｂ、７ｃ（後述）の押圧により順次停止するようになっており、各リール４ａ、４ｂ、４ｃが停止した状態において、リール表示部４Ａを通して視認可能な上記可変表示の停止結果が、予め定められた特定の表示結果態様となった場合（例えば、有効ライン上の図柄が揃った場合など）に、遊技者にとって有利な特定遊技状態（例えば、ボーナスゲームなど）が発生し、該特定遊技状態の発生に関連して、所要数のメダル（所定の遊技価値）が遊技者に対して付与される（払出装置２０よりメダルが払い出されるか、或いはクレジットとして記憶される）ようになっている。
【００２０】
また、表示パネル３の上部には、図１に示すように、透明な表示部５ｂが設けられ、該表示部５ｂの奥側には、上記可変表示に関連して所定の演出表示を行う演出表示装置５ａ（図３）が設置されている。一方、表示パネル３の下部には、メダルの払出枚数を表示する払出枚数表示部８、遊技の進行に関する表示を行う遊技進行表示部１１、メダルのクレジット枚数を表示するクレジット枚数表示部１２等が設けられている。
【００２１】
前扉２中央の傾斜面２２には、メダルを投入可能なメダル投入部３１、メダルのベット枚数（賭け枚数）を押圧回数によって設定可能な１ベットボタン１０、メダルのベット枚数を限度枚数（例えば、３枚）に設定可能なマックスベットボタン９が配設されている。即ち、所要数のメダルがクレジットされている状態で、１ベットボタン１０或いはマックスベットボタン９を押圧することで、メダルのベット枚数を設定することができ、このベット枚数に応じて有効ライン（有効な表示ライン）のパターンを設定することができる。
【００２２】
前扉２の下半部には、矩形状の化粧パネル１９が着脱自在に取り付けられ、この化粧パネル１９の上方には、クレジットされたメダルを返却するためのメダル返却スイッチ１８、前記可変表示を開始する（つまり、各リール４ａ、４ｂ、４ｃの回転を開始する）ためのスタートレバー６、各々のリール４ａ、４ｂ、４ｃの回転を停止させるためのストップボタン７ａ、７ｂ、７ｃ、前扉２を閉止状態で維持可能な施錠装置１７の鍵穴１７ａ等が設けられている。
また、化粧パネル１９の下方には、前述した払出装置２０（図２）より払い出されたメダルを貯留可能な受皿２３や、灰皿２１などが設けられている。
【００２３】
前扉２（前扉取付ベース部材６０）の裏面側には、図３に示すように、演出表示装置５ａ、ランプ基板９１ａ、９１ｂ、９１ｃ、スピーカ９２、中継基板９３などが配設されている。また、前扉取付ベース部材６０の下半部を構成する下部ベース部材６０Ｂの裏面上部には、図３〜図５に示すように、共通取付部材７０を介して、前述したメダル投入部３１を有するメダル投入部材３０が取り付けられると共に、共通取付部材７０及び取付金具８０を介して、メダル検出装置として例示するメダルセレクタ４０が取り付けられている。メダルセレクタ４０の下方には、メダルセレクタ４０よりキャンセルされたメダルや払出装置２０から払い出されたメダルを受皿２３へと流下案内する誘導樋２４が設けられている。
【００２４】
下部ベース部材６０Ｂの上端には、図５に示すように、前方に向けて緩やかに下り傾斜する傾斜面２２が設けられ、この傾斜面２２の右側（遊技者側から見て）には、メダル投入部材取付用の差込口２２Ａが設けられている。
また、下部ベース部材６０Ｂの裏面上部（上記差込口２２Ａの下方）には、共通取付部材７０を取り付けるための取付支柱６９，…が後方に向かって立設されている。
【００２５】
メダル投入部材３０は、上方からメダルを投入可能な投入口３６を有する鍔状のメダル投入部３１と、該メダル投入部３１の下端より下方に向けて立設された一対の平行な案内板３２、３３と、を備えて構成されている。両案内板３２、３３の間には、該メダル投入部３１の投入口３６より投入されたメダルを下方に流下案内するためのメダル流路３５が形成されている。また、手前側の案内板３２は、奥側の案内板３３より下方に突出するように形成され、その突出下端には、縦長の貫通穴３４，３４が左右に並んだ状態で設けられている。
【００２６】
メダルセレクタ４０は、図５に示すように、メダル投入部３１から投入されたメダルをメダル投入部材３０のメダル流路３５から受け入れて払出装置２０（図２）或いは誘導樋２４（図３）へと流下案内するメダル流路４５を備え、該メダル流路４５を流下案内する過程で、メダル投入部材３０から受け入れたメダルを正規のメダルとそれ以外のメダルとに選別可能となっている。
そして、メダルセレクタ４０は、所定条件が成立する場合（例えば、クレジット状態でメダルのクレジット枚数が限度枚数に達していない場合や、非クレジット状態でメダルのベット枚数が限度枚数に達していない場合など）に、メダル投入部材３０から受け入れた正規のメダルを払出装置２０に流下案内する一方、上記所定条件が成立しない場合や、上記所定条件が成立する場合でもメダルが正規のメダル以外のメダルである場合に、メダル投入部材３０から受け入れたメダルを誘導樋２４に流下案内するようになっている。
また、メダルセレクタ４０は、メダル流路４５の途中に、メダルの流下案内方向を変換する変換部４５ａを備え、該変換部４５ａは、共通取付部材７０の背部（つまり、メダルセレクタ４０の取付位置近傍）に配置されている。つまり、メダルの流下案内方向を変換するときにメダルから受ける圧力に対する耐久性を高めるように構成している。
【００２７】
また、メダルセレクタ４０は、図３に示すように、払出装置２０に流下案内するメダルを検出可能な検出スイッチ４２（例えば、光センサなど）を備え、この検出スイッチ４２による検出信号を制御装置５０（図２）に対して出力するようになっている。この検出信号に基づいて、制御装置５０では、メダルのクレジット枚数或いはベット枚数の記憶を１ずつ加算するようになっている。
また、メダルセレクタ４０の一方の側部には、該メダルセレクタ４０を共通取付部材７０に取り付けるための取付板４３が側方に延出した状態で設けられ、他方の側部には、該メダルセレクタ４０を取付金具８０に取り付けるための取付板４４が側方に延出した状態で設けられている。各取付板４３、４４には、縦長の貫通穴４６がそれぞれ設けられている。
【００２８】
共通取付部材７０は、金属により形成されている。この共通取付部材７０は、図５に示すように、該共通取付部材７０を前扉取付ベース部材６０に取り付けるための取付穴７３ａ、７４ａ、７５ａをそれぞれ有するベース部材取付部７３、７４、７５と、メダル投入部材３０を取り付けるための取付穴７１ａを有するメダル投入部材取付部７１と、メダルセレクタ４０を取り付けるための取付穴７２ａを有するメダルセレクタ取付部７２と、を備えて構成されている。
メダル投入部材取付部７１は、ベース部材取付部７３、７４の各々より後方に向けて起立する互いに平行な一対の起立壁７３ｂ、７４ｂ間に架設されている。一方、メダルセレクタ取付部７２は、ベース部材取付部７４、７５の各々より後方に向けて起立する互いに垂直な一対の起立壁７４ｃ、７５ｂ間に架設され、メダル投入部材取付部７１よりも後方に配置されている。
取付金具８０は、金属により形成されており、図３に示すように、該取付金具８０を前扉取付ベース部材６０に取り付けるための取付穴８１ａを有するベース部材取付部８１と、メダルセレクタ４０を取り付けるための取付穴（図示省略）を有するメダルセレクタ取付部（図示省略）と、を備えて構成されている。
【００２９】
次に、メダル投入部材３０とメダルセレクタ４０の取付方法について説明する。
【００３０】
先ず、共通取付部材７０の前面を前扉取付ベース部材６０の裏面に臨ませ、ベース部材取付部７３、７４、７５の各取付穴７３ａ、７４ａ、７５ａを前扉取付ベース部材６０の各取付支柱６９，…に位置合わせした後、各取付穴７３ａ、７４ａ、７５ａから各取付支柱６９，…に向けて止着部材（図示省略）を通すことにより、共通取付部材７０を前扉取付ベース部材６０（下部ベース部材６０Ｂ）に取り付ける。同様に、取付金具８０のベース部材取付部８１の各取付穴８１ａから前扉取付ベース部材６０の各取付支柱（図示省略）に向けて止着部材（図示省略）を通すことにより、取付金具８０を前扉取付ベース部材６０（下部ベース部材６０Ｂ）に取り付ける。
続いて、図５に示すように、メダル投入部材３０の案内板３２、３３を前扉取付ベース部材６０の差込口２２Ａに前面側から差し込み、メダル投入部３１の下端面と下部ベース部材６０Ｂの傾斜面２２とを密着させた状態で、メダル投入部材３０の各貫通穴３４，３４からメダル投入部材取付部７１の各取付穴７１ａ，７１ａに向けて止着部材（図示省略）を通すことにより、メダル投入部材３０を共通取付部材７０に取り付ける。
その後、メダルセレクタ４０の前端を前扉取付ベース部材６０の裏面に臨ませて、図４に示す如く、メダルセレクタ４０をメダル投入部材３０に対して位置合わせした後、メダルセレクタ４０の一方の貫通穴４６から共通取付部材７０の取付穴７２ａに向けて止着部材（図示省略）を通すことにより、メダルセレクタ４０の一端を共通取付部材７０に取り付けると共に、メダルセレクタ４０の他方の貫通穴４６から、取付金具８０の取付穴８１ａに向けて止着部材（図示省略）を通すことにより、メダルセレクタ４０の他端を取付金具８０に取り付ける。その際に、止着部材を少し弛めた状態としておいて、両メダル流路３５、４５にズレが生じないようにメダルセレクタ４０の取付位置を微調整してから、止着部材を奥までねじ込んでメダルセレクタ４０を固定する。
【００３１】
以上のように、この実施の形態のパチスロ遊技機１００によれば、金属製の共通取付部材７０を介して、メダル投入部材３０とメダルセレクタ４０（メダル検出装置）の各々を前扉取付ベース部材６０に取り付けるようにしたので、共通取付部材７０により、メダル投入部材３０とメダルセレクタ４０の相対位置を正確に位置決めすることが可能となる。
従って、メダル投入部材３０とメダルセレクタ４０の取付位置を位置決めするのが容易となり、メダル投入部材３０とメダルセレクタ４０の相対位置にズレが生じ難くなる。
そのため、メダル投入部材３０とメダルセレクタ４０の各々に設けられる両メダル流路３５、４５の接続部分にズレが生じ難くなり、該ズレによるメダル詰まりを低減できる。また、例えば、メダル投入部３１から不正な行為を目的とした不正部材が挿入されても、その不正部材が上記ズレから当該遊技機内に侵入するのを防止できる。また、メダル投入部材３０の投入口３６からメダルセレクタ４０の検出スイッチ４２までの距離が常に一定となり、投入口３６よりメダルを投入してからそのメダルが検出スイッチ４２に検出されるまでにかかる時間が、どの遊技機もほぼ一定となる。
【００３２】
また、メダル投入部材３０とメダルセレクタ４０とを別々に取り付ける構成としたので、熟練した技術がなくとも、容易にメダル投入部材３０とメダルセレクタ４０の取付作業を行うことができる。
また、メダルセレクタ４０とメダル投入部材３０が、何れも縦長の貫通穴３４、４６を有し、該貫通穴３４、４６から共通取付部材７０の各取付穴７１ａ、７２ａに向けて止着部材を通すことにより共通取付部材７０に取り付けられているので、メダルセレクタ４０やメダル投入部材３０の取付位置を、それぞれの貫通穴３４、４６の長さ方向（上下方向）に調整することが可能となる。従って、例えば、前扉取付ベース部材６０に成形誤差等があっても、メダル投入部材３０とメダルセレクタ４０の取付位置を容易に補正することができる。
【００３３】
なお、本発明はこの実施の形態のパチスロ遊技機１００に限られるものではなく、例えば、その他のパチスロ遊技機、スロットマシン等にも適用可能である。また、この実施の形態では、共通取付部材７０を前扉取付ベース部材６０に取り付けるための取付穴７３ａ、７４ａ、７５ａを、円形の取付穴としたが、例えば、縦長の取付穴（長穴）とすることも可能である。そうすることで、共通取付部材７０の取付位置を調整することが可能となり、例えば、前扉取付ベース部材６０に成形誤差等があっても、共通取付部材７０の取付位置を調整することで、メダル投入部材３０とメダルセレクタ４０の取付位置を補正することが可能となる。
【００３４】
また、この実施の形態では、前扉取付ベース部材６０に共通取付部材７０を取り付けてから、該共通取付部材７０にメダルセレクタ４０とメダル投入部材３０とを取り付ける構成としたが、例えば、予め、メダルセレクタ４０とメダル投入部材３０とを共通取付部材７０に取り付けた状態としてから、該共通取付部材７０を前扉取付ベース部材６０に取り付ける構成とすることも可能である。その場合には、下部ベース部材６０Ｂの傾斜面２２に、メダル投入部材取付用の差込口２２Ａを設ける代わりに、メダル投入部材３０のメダル投入部３１を挿通可能な開口部或いはメダルセレクタ４０を挿通可能な開口部を形成しておき、それら開口部を通してメダル投入部３１を露出させた状態で、共通取付部材７０（メダルセレクタ４０とメダル投入部材３０を取り付けた状態の共通取付部材７０）を前扉取付ベース部材６０に取り付け、その後、余分な開口部分を蓋部材で閉塞するようにする。このような構成によれば、前扉取付ベース部材６０に取り付ける前に、メダルの流れ具合を検査することが可能となり、メダル投入部材３０とメダルセレクタ４０の相対位置を位置決めするのが容易となる。
【００３５】
また、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００３６】
【発明の効果】
請求項１記載の発明によれば、共通取付部材により、メダル投入部材とメダル検出装置の相対位置を位置決めすることが可能となる。従って、メダル投入部材とメダル検出装置の取付位置を位置決めするのが容易となり、メダル投入部材とメダル検出装置の相対位置にズレが生じ難くなる。そのため、メダル投入部材とメダル検出装置の各々に設けられる両メダル流路の接続部分にズレが生じ難くなり、該ズレによるメダル詰まりを低減できる。また、例えば、メダル投入部から不正な行為を目的とした不正部材が挿入されても、その不正部材が上記ズレから遊技機内に侵入するのを防止できる。
また、メダル投入部材とメダル検出装置の取付位置を、共通取付部材の取付位置により調整することが可能となる。従って、例えば、前扉取付ベース部材に成形誤差等があっても、共通取付部材の取付位置を調整することで、メダル投入部材とメダル検出装置の取付位置を補正することが可能となる。
加えて、メダル投入部材とメダル検出装置を別々に取り付けることが可能となる。従って、熟練した技術がなくとも、容易にメダル投入部材とメダル検出装置の取付作業を行うことができる。
【００３７】
請求項２記載の発明によれば、メダル検出装置やメダル投入部材の取付位置を、それぞれの貫通穴の長さ方向に調整することが可能となる。従って、例えば、前扉取付ベース部材に成形誤差等があっても、メダル投入部材とメダル検出装置の取付位置を容易に補正することができる。
【図面の簡単な説明】
【図１】本発明に係る遊技機の一形態として例示するパチスロ遊技機の正面図である。
【図２】図１のパチスロ遊技機の斜視図で、前扉を開放している状態を示している。
【図３】図１のパチスロ遊技機に備わる前扉の背面図である。
【図４】図１のパチスロ遊技機に備わるメダル投入部材及びメダルセレクタの取付構造を示す斜視図である。
【図５】同、分解斜視図である。
【符号の説明】
１      本体枠
２      前扉
２０    払出装置
２２Ａ  メダル投入部材取付用の差込口
３０    メダル投入部材
３１    メダル投入部
３４    貫通穴
３５    メダル流路
４０    メダルセレクタ（メダル検出装置）
４２    検出スイッチ
４５    メダル流路
４５ａ  変換部
４６    貫通穴
５０    制御装置
６０    前扉取付ベース部材
６０Ａ  上部ベース部材
６０Ｂ  下部ベース部材
７０    共通取付部材
７１    メダル投入部材取付部
７２    メダルセレクタ取付部
７１ａ、７２ａ  取付穴
８０    取付金具
１００  パチスロ遊技機（遊技機）
【図１】
0004041273.tif 000002
【図２】
0004041273.tif 000003
【図３】
0004041273.tif 000004
【図４】
0004041273.tif 000005
【図５】
0004041273.tif 000006